(57)【要約】  本開示の実施形態は、RRC接続の再確立ための方法、ターミナル、及び記憶媒体を提供する。方法において、ターミナルは、第１基地局によりサポートされたPDCP（Packet Data Convergence Protocol）のナレッジに基づいて、RRC接続の再確立の開始のためのPDCPを決定し、PDCPは第１PDCP又は第２PDCPである。ターミナルは、第１PDCP又は第２PDCPに基づいて、第１基地局へRRC接続の再確立処理を開始する。
2021504995.tif 000002
【特許請求の範囲】
【請求項１】
無線リソース制御（RRC：Radio Resource Control）接続の再確立のための方法であって、
第１基地局によりサポートされたPDCP（Packet Data Convergence Protocol）のナレッジに基づいて、RRC接続の再確立処理を開始するためのPDCPを、ターミナルにより決定することであって、前記PDCPは、第１PDCP又は第２PDCPであることと、
前記第１PDCP又は前記第２PDCPに基づいて、前記第１基地局への前記RRC接続の再確立処理を、前記ターミナルにより開始することと、
を備える方法。
【請求項２】
前記第１基地局によりサポートされた前記PDCPのナレッジに基づいて、前記RRC接続の再確立処理を開始するための前記PDCPを決定することは、
前記第１基地局によりサポートされた二重接続（DC：Dual Connectivity）のネットワークモードにおけるナレッジに基づいて、前記RRC接続の再確立処理の開始のための前記PDCPを決定することであって、
前記第１基地局が前記DCのネットワークモードをサポートし、前記第１基地局が前記第２PDCPをサポートすることを条件とすること、
を備える、請求項１に記載の方法。
【請求項３】
前記第１基地局は前記第２PDCPをサポートし、
前記第１PDCP又は前記第２PDCPに基づいて、前記第１基地局へ前記RRC接続の再確立処理を、前記ターミナルにより開始することは、
前記ターミナルが前記第１基地局は前記第２PDCPをサポートすることを知っている場合、前記第２PDCPに基づいてRRC接続の再確立要求メッセージが前記第１基地局へ前記ターミナルにより送信され、前記第２PDCPに基づいて前記ターミナルと前記第１基地局の間における前記RRC接続の再確立処理を開始すること、又は、
前記ターミナルが前記第１基地局は前記第２PDCPをサポートすることを知らない場合、前記第２PDCPに基づいてRRC接続の再構成要求メッセージが前記ターミナルにより送信され、前記第２PDCPに基づいて前記ターミナルと前記第１基地局の間における前記RRC接続の再確立処理を開始すること、
を備える、請求項１又は２に記載の方法。
【請求項４】
前記第１基地局は前記第２PDCPをサポートし、
前記第１PDCP又は前記第２PDCPに基づいて、前記第１基地局へ前記RRC接続の再確立処理を、前記ターミナルにより開始することは、
前記ターミナルが前記第１基地局は前記第２PDCPをサポートすることを知らない場合、前記第１PDCPに基づいてRRC接続の再確立要求メッセージが前記ターミナルにより送信される、請求項１又は２に記載の方法。
【請求項５】
前記第１基地局が前記第１PDCP及び前記第２PDCPのいずれもサポートする場合には、前記第１PDCPに基づいて前記ターミナルと前記第１基地局の間における前記RRC接続の再確立処理が完了した後に、
前記第１PDCPから前記第２PDCPへ、前記第１基地局とともに前記ターミナルにより、切り替えることと、
前記第２PDCPに基づいて、セキュリティモードコマンド処理を前記第１基地局とともに前記ターミナルにより、実行することと、
をさらに備える、請求項４に記載の方法。
【請求項６】
前記第１PDCPに基づいて、前記ターミナルにより送信された前記RRC接続の再確立要求メッセージの復号に失敗したことにより、前記第１基地局からRRC接続失敗メッセージを、前記ターミナルにより受信すること、又は、
前記第１PDCPに基づいて、前記ターミナルにより送信された前記RRC接続の再確立要求メッセージが復号するために、前記第１PDCP及び前記第２PDCPのいずれも用い得る前記第１基地局から、RRC接続の再確立メッセージを、前記ターミナルにより受信すること、
をさらに備える、請求項４に記載の方法。
【請求項７】
前記第１基地局は、DCネットワークにおいてマスターノードである、
請求項３乃至６のいずれかに記載の方法。
【請求項８】
前記第１基地局は前記第２PDCPをサポートせず、
前記第１PDCP又は前記第２PDCPに基づいて、前記第１基地局へ前記RRC接続の再確立処理を、前記ターミナルにより開始することは、
前記ターミナルが前記第１基地局は前記第２PDCPをサポートしないことを知っている場合又は前記ターミナルが前記第１基地局は前記第２PDCPをサポートしないことを知らない場合、
前記第１PDCPに基づいて前記RRC接続の再確立要求メッセージを前記第１基地局へ前記ターミナルにより送信することと、
前記第１PDCPに基づいて前記RRC接続の再確立要求メッセージを用いることにより、前記第１基地局とともに前記ターミナルによりRRC接続を再開することと、
を備える、請求項１又は２に記載の方法。
【請求項９】
前記ターミナルにより、SCG（Secondary Cell Group）ベアラを解放することを決定すること、又は、
前記ターミナルにより、前記SCGベアラを保持することそして前記SCGベアラを前記第１基地局へ移動することを決定すること、
をさらに備える、請求項８に記載の方法。
【請求項１０】
前記第１基地局は前記第２PDCPをサポートせず、
前記ターミナルが前記第１基地局は前記第２PDCPをサポートしないことを知らない場合、
前記第２PDCPに基づいて前記RRC接続の再確立要求メッセージを前記第１基地局へ、前記ターミナルにより送信することと、
前記第２PDCPに基づいて、前記ターミナルにより送信された前記RRC接続の再確立要求メッセージの復号に失敗したことにより、前記第１基地局からRRC接続失敗メッセージを、前記ターミナルにより受信することと、
をさらに備える、請求項１又は２に記載の方法。
【請求項１１】
前記第１PDCPは、LTE（Long Term Evolution）PDCPであり、前記第２PDCPは、NR（New Radio）PDCPである、
請求項１乃至１０のいずれかに記載の方法。
【請求項１２】
ターミナルであって、
第１基地局によりサポートされたPDCP（Packet Data Convergence Protocol）のナレッジに基づいて、無線リソース制御（RRC：Radio Resource Control）接続の再確立処理の開始のためのPDCPを、確定するように構成されており、前記PDCPは、第１PDCP又は第２PDCPである、確定ユニットと、
前記第１PDCP又は前記第２PDCPに基づいて、前記第１基地局への前記RRC接続の再確立処理を開始するように構成されている、RRC接続ユニットと、
を備える、ターミナル。
【請求項１３】
前記確定ユニットは、
前記第１基地局によりサポートされた、二重接続（DC：Dual Connectivity）のネットワークモードにおけるナレッジに基づいて、前記RRC接続の再確立処理の開始のための前記PDCPを確定するように構成されており、
前記第１基地局が前記第２PDCPをサポートすることを条件として、前記第１基地局は前記DCのネットワークモードをサポートする、
請求項１２に記載のターミナル。
【請求項１４】
前記第１基地局は前記第２PDCPをサポートし、前記RRC接続ユニットは、
前記第１基地局が前記第２PDCPをサポートすることを知っていて、前記第２PDCPに基づいてRRC接続の再確立要求メッセージを前記第１基地局へ送信し、前記第２PDCPに基づいて前記ターミナルと前記第１基地局の間における前記RRC接続の再確立処理を開始するように、又は、
前記第１基地局が前記第２PDCPをサポートすることを知ること無しに、前記第２PDCPに基づいてRRC接続の再構成要求メッセージを前記第１基地局へ送信し、前記第２PDCPに基づいて前記ターミナルと前記第１基地局の間における前記RRC接続の再確立処理を開始するように構成される、
請求項１２又は１３に記載のターミナル。
【請求項１５】
前記第１基地局は前記第２PDCPをサポートし、前記RRC接続ユニットは、
前記第１基地局が前記第２PDCPをサポートすることを知ること無しに、前記第１PDCPに基づいてRRC接続の再確立要求メッセージを送信するように構成される、
請求項１２又は１３に記載のターミナル。
【請求項１６】
前記第１基地局が前記第１PDCP及び前記第２PDCPのいずれもサポートする場合には、前記第１PDCPに基づいて前記RRC接続ユニットと前記第１基地局の間における前記RRC接続の再確立処理が完了した後に、前記ターミナルは、前記第１PDCPから前記第２PDCPへ、前記第１基地局とともに切り替え、前記第２PDCPに基づいて、セキュリティモードコマンド処理を前記第１基地局とともに実行する、
請求項１５に記載のターミナル。
【請求項１７】
前記RRC接続ユニットは、
前記第１PDCPに基づいて、送信された前記RRC接続の再確立要求メッセージの復号に失敗したことにより、前記第１基地局からRRC接続失敗メッセージを受信するように、又は、
前記第１PDCPに基づいて、送信された前記RRC接続の再確立要求メッセージを復号するために、前記第１PDCP及び前記第２PDCPのいずれも用い得る前記第１基地局から、RRC接続の再確立メッセージを、受信するようにさらに構成される、
請求項１５に記載のターミナル。
【請求項１８】
前記第２PDCPをサポートする前記第１基地局は、二重接続（DC：Dual Connectivity）ネットワークにおいて、マスターノードである、
請求項１４乃至１７のいずれかに記載のターミナル。
【請求項１９】
前記第１基地局は前記第２PDCPをサポートせず、
前記RRC接続ユニットは、前記第１基地局が前記第２PDCPをサポートしないことを知っていて、又は、知ること無しに、
前記第１PDCPに基づいて前記RRC接続の再確立要求メッセージを前記第１基地局へ送信するように、及び、
前記第１PDCPに基づいて前記RRC接続の再確立要求メッセージを用いることにより、前記第１基地局とともに、RRC接続を再開するように構成される、
請求項１２又は１３に記載のターミナル。
【請求項２０】
SCG（Secondary Cell Group）ベアラを解放することを決定するように、又は、
前記SCGベアラを保持することそして前記SCGベアラを前記第１基地局へ移動することを決定するように構成される、決定ユニットをさらに備える、
請求項１９に記載のターミナル。
【請求項２１】
前記第１基地局は前記第２PDCPをサポートせず、
前記RRC接続ユニットは、前記第１基地局が前記第２PDCPをサポートしないことを知ること無しに、
前記第２PDCPに基づいて前記RRC接続の再確立要求メッセージを前記第１基地局へ送信するように、及び、
前記第２PDCPに基づいて送信された前記RRC接続の再確立要求メッセージの復号に失敗したために、前記第１基地局からRRC接続失敗メッセージを受信するように構成される、
請求項１２又は１３に記載のターミナル。
【請求項２２】
前記第１PDCPは、LTE（Long Term Evolution）PDCPであり、前記第２PDCPは、NR（New Radio）PDCPである、
請求項１２乃至２１のいずれかに記載のターミナル。
【請求項２３】
プロセッサと、
コンピュータ可読指令を格納するメモリを備え、
前記メモリは、前記プロセッサにより実行された場合、前記プロセッサに請求項１乃至１１のいずれかに係る方法を実行させる、
ターミナル。
【請求項２４】
コンピュータ可読指令を格納するコンピュータ可読記憶媒体であって、前記コンピュータ可読指令は、プロセッサにより実行された場合、前記プロセッサに請求項１乃至１１のいずれかに係る方法を実行させる、
コンピュータ可読記憶媒体。
【発明の詳細な説明】
【関連出願】
【０００１】
本出願は、２０１７年１１月２９日に出願された米国仮出願番号第６２／５９２，１１２号の利益を主張し、その内容はその全てについて参照して本明細書に組み込まれる。
【技術分野】
【０００２】
本開示は、移動通信の技術分野に関連し、具体的には、無線リソース制御（RRC：Radio Resource Control）接続の再確立のための方法、ターミナル及びコンピュータ可読記憶媒体に関連する。
【背景技術】
【０００３】
LTE（Long Term Evolution）システムにおいて、無線リンク障害（RLF：Radio Link Failure）がある場合、無線リソース制御（RRC：Radio Resource Control）接続の再確立が実行される。図１に図示されるように、RLFがある場合、ユーザ機器１０（UE：User Equipment）は、RRC接続再確立要求メッセージ１０２を、特に、サービング又は隣接セルであるEUTRAN１２（Evolved Universal Terrestrial Radio Access Network）へ送信し得る。対応するeNB（eNodeB）においてコンテキストがある場合、RRC接続は再確立され得る。具体的には、ユーザ機器はeNBからRRC接続再確立メッセージ１０４を受信してもよく、そして、eNBへRRC接続再確立完了メッセージ１０６を、RRC接続再確立の完了を示すために送信してもよい。この様にして、ユーザ機器はアイドル状態に入る必要は無く、そして、ランダムアクセスチャネル（RACH：Random Access Channel）処理からのRRC接続をセットアップするために、極めて多くのシグナリングステップを費やす必要は無い。
【０００４】
例えば、eNBがネットワークモード、すなわち、LTE-NR（New Radio）二重接続（DC：Dual Connectivity）をサポートする場合は、LTE eNBは拡張されることを意味し、そのため、LTE eNBは、二重接続モードにおいて働くNR gNBの機能により構成され得る。このモードにおいて、LTE eNBは、プライマリセル（PCell：Primary Cell）並びにマスターノード（MN：Master Node）としてのサービングセル、及び、NR gNBは、セカンダリセル（SCell：Secondary Cell）並びにセカンドノード（SN：Second Node）としてのサービングセルを提供する。特に、DCケースで、たとえLTE RRCがMNにおいてPCellのために用いられても、LTE PDCP （Packet Data Convergence Protocol）は常に用いられなくてもよい。初期アクセスに間、ユーザ機器は、eNBへMSG1/3を送信するためにLTE PDCPを用い得る。しかしながら、SRB2（Signal Resource Bearer2）及びDRB（Data Resource Bearer）が構成された後に、NR-PDCPはMNにおいて、DRB及びSRBのために用い得る。
【０００５】
例えばRLFのために、LTE PCell RRC接続が再確立される必要がある場合、ユーザ機器は、NR PDCPをサポートするeNB、又は、NR PDCPをサポートしないレガシーeNBへ、RRC再確立要求を送信してもよい。しかしながら、どの様にRRC接続再確立処理をユーザ機器とeNBとの間で適切に扱うかが、解決される必要がある課題である。
【発明の概要】
【０００６】
上記の観点において、本開示の実施形態は、RRC接続の再確立のための方法、ターミナル及びコンピュータ可読記憶媒体を提供する。
【０００７】
第１の観点では、RRC接続の再確立のための方法が提供される。方法は、ターミナルにより実行される以下の動作を含んでいる。第１基地局によりサポートされたPDCP（Packet Data Convergence Protocol）のナレッジに基づいて、RRC接続の再確立処理を開始するためのPDCPを決定することであって、PDCPは第１PDCP又は第２PDCPであること。第１PDCP又は第２PDCPに基づいて、第１基地局へRRC接続の再確立処理を開始すること。
【０００８】
本開示のいくつかの実施形態において、第１基地局によりサポートされたPDCPのナレッジに基づいて、RRC接続の再確立処理の開始のための決定の動作は、第１基地局によりサポートされた二重接続（DC：Dual Connectivity）のネットワークモードにおけるナレッジに基づいて、RRC接続の再確立処理の開始のためのPDCPを決定することを含んでもよく、ここで第１基地局がDCのネットワークモードをサポートし、第１基地局が第２PDCPをサポートすることが条件となる。
【０００９】
本開示のいくつかの実施形態において、第１基地局は第２PDCPをサポートし、第１PDCP又は第２PDCPに基づいて第１基地局へRRC接続の再確立処理を開始することは、ターミナルが第１基地局は第２PDCPをサポートすることを知っている場合、第２PDCPに基づいてRRC接続の再確立要求メッセージを第１基地局へターミナルにより送信することで第２PDCPに基づいてターミナルと第１基地局の間のRRC接続の再確立処理を開始すること、又は、ターミナルが第１基地局は第２PDCPをサポートすることを知らない場合、第２PDCPに基づいてRRC接続の再構成要求メッセージをターミナルにより送信することで第２PDCPに基づいてターミナルと第１基地局の間のRRC接続の再確立処理を開始することを含む。
【００１０】
本開示のいくつかの実施形態において、第１基地局は第２PDCPをサポートし、第１PDCP又は第２PDCPに基づいて第１基地局へのRRC接続の再確立処理の開始における動作は、ターミナルが第１基地局は第２PDCPをサポートすることを知らない場合、第１PDCPに基づいてRRC接続の再確立要求メッセージをターミナルにより送信することを含んでもよい。
【００１１】
本開示のいくつかの実施形態において、第１PDCPに基づいてターミナルと第１基地局の間におけるRRC接続の再確立処理が完了した後に第１基地局が第１PDCPと第２PDCPのいずれもサポートするケースにおいて、方法は、第１PDCPから第２PDCPへ第１基地局とともに切り替える動作と、第２PDCPに基づいてセキュリティモードコマンド処理を第１基地局とともに実行する動作を、さらに含んでもよい。
【００１２】
本開示のいくつかの実施形態において、方法は、以下の動作をさらに含んでもよい。第１PDCPに基づいてターミナルにより送信されたRRC接続の再確立要求メッセージの復号に失敗したことにより、第１基地局からRRC接続失敗メッセージを受信すること、又は、第１PDCPに基づいてターミナルにより送信されたRRC接続の再確立要求メッセージが復号され、第１PDCP及び第２PDCPのいずれも用い得るRRC接続の再確立メッセージを第１基地局から受信すること。
【００１３】
本開示のいくつかの実施形態において、第１基地局はDCネットワークにおいてマスターノードである。
【００１４】
本開示のいくつかの実施形態において、第１基地局は第２PDCPをサポートせず、第１PDCP又は第２PDCPに基づいて第１基地局へのRRC接続の再確立処理の開始における動作は、ターミナルが第１基地局は第２PDCPをサポートしないことを知っている場合又はターミナルが第１基地局は第２PDCPをサポートしないことを知らない場合、第１PDCPに基づいてRRC接続の再確立要求メッセージを第１基地局へ送信すること、第１PDCPに基づいてRRC接続の再確立要求メッセージを用いることにより第１基地局とともにRRC接続を再開することを含んでもよい。
【００１５】
本開示のいくつかの実施形態において、方法は、以下の動作をさらに含んでもよい。SCG（Secondary Cell Group）ベアラの解放を決定すること、又はSCGベアラを保持することそしてSCGベアラを第１基地局への移動を決定すること。
【００１６】
本開示のいくつかの実施形態において、第１基地局は第２PDCPをサポートせず、方法は、以下の動作をさらに含んでもよい。ターミナルが第１基地局は第２PDCPをサポートしないことを知らない場合、第２PDCPに基づいてRRC接続の再確立要求メッセージを第１基地局へ送信すること、及び第２PDCPに基づいてターミナルにより送信されたRRC接続の再確立要求メッセージの復号に失敗したことにより第１基地局からRRC接続失敗メッセージを受信すること。
【００１７】
本開示のいくつかの実施形態において、第１PDCPは、LTE（Long Term Evolution）PDCPであり、第２PDCPは、NR（New Radio）PDCPである。
【００１８】
第２の観点では、ターミナルが提供される。ターミナルは、確定ユニット及びRRC接続ユニットを含んでもよい。確定ユニットは、第１基地局によりサポートされたPDCP（Packet Data Convergence Protocol）のナレッジに基づいて、RRC接続の再確立処理の開始のためのPDCPを決定するように構成されており、PDCPは第１PDCP又は第２PDCPである。RRC接続ユニットは、第１PDCP又は第２PDCPに基づいて、第１基地局へRRC接続の再確立処理を開始するように構成されている。
【００１９】
本開示のいくつかの実施形態において、確定ユニットは、第１基地局によりサポートされた二重接続（DC：Dual Connectivity）のネットワークモードにおけるナレッジに基づいてRRC接続の再確立処理の開始のためのPDCPを決定するように構成されている。第１基地局がDCのネットワークモードをサポートし、第１基地局が第２PDCPをサポートすることが条件となる。
【００２０】
本開示のいくつかの実施形態において、第１基地局は第２PDCPをサポートし、RRC接続ユニットは、第１基地局が第２PDCPをサポートすることを知っていることで第２PDCPに基づいてRRC接続の再確立要求メッセージを第１基地局へ送信し第２PDCPに基づいてターミナルと第１基地局の間におけるRRC接続の再確立処理を開始するように、又は、第１基地局が第２PDCPをサポートすることを知っていること無しに、第２PDCPに基づいてRRC接続の再構成要求メッセージを第１基地局へ送信し第２PDCPに基づいてターミナルと第１基地局の間におけるRRC接続の再確立処理を開始するように構成されている。
【００２１】
本開示のいくつかの実施形態において、第１基地局は第２PDCPをサポートし、RRC接続ユニットは、第１基地局が第２PDCPをサポートすることを知っていること無しに、第１PDCPに基づいてRRC接続の再確立要求メッセージを送信するように構成されている。
【００２２】
本開示のいくつかの実施形態において、第１PDCPに基づいてRRC接続ユニットと第１基地局の間におけるRRC接続の再確立処理が完了した後に、第１基地局が第１PDCP及び第２PDCPのいずれもサポートするケースにおいて、ターミナルは、第１PDCPから第２PDCPへ第１基地局とともに切り替え、第２PDCPに基づいてセキュリティモードコマンド処理を第１基地局とともに実行する。
【００２３】
本開示のいくつかの実施形態において、RRC接続ユニットは、第１PDCPに基づいて送信されるRRC接続の再確立要求メッセージの復号に失敗したことにより第１基地局からRRC接続失敗メッセージを受信するように、又は、第１PDCPに基づいて送信されるRRC接続の再確立要求メッセージが復号され第１PDCP及び第２PDCPのいずれも用い得るRRC接続の再確立メッセージを第１基地局から受信するようにさらに構成される。
【００２４】
本開示のいくつかの実施形態において、第２PDCPをサポートする第１基地局は、二重接続（DC：Dual Connectivity）ネットワークにおいて、マスターノードである。
【００２５】
本開示のいくつかの実施形態において、第１基地局は第２PDCPをサポートせず、RRC接続ユニットは、第１基地局は第２PDCPをサポートしないことを知っていることで又は知っていること無しで第１PDCPに基づいてRRC接続の再確立要求メッセージを第１基地局へ送信するように、及び、第１PDCPに基づいてRRC接続の再確立要求メッセージを用いることにより第１基地局とともにRRC接続を再開するように構成されている。
【００２６】
本開示のいくつかの実施形態において、ターミナルは、SCG（Secondary Cell Group）ベアラを解放することを決定するように又はSCGベアラを保持することそしてSCGベアラを第１基地局へ移動することを決定するように構成される、決定ユニットをさらに含んでもよい。
【００２７】
本開示のいくつかの実施形態において、第１基地局は第２PDCPをサポートせず、RRC接続ユニットは、第１基地局は第２PDCPをサポートしないことを知っていること無しで第２PDCPに基づいてRRC接続の再確立要求メッセージを第１基地局へ送信するように、及び、第２PDCPに基づいて送信されたRRC接続の再確立要求メッセージの復号に失敗したために第１基地局からRRC接続失敗メッセージを受信するように構成されている。
【００２８】
本開示のいくつかの実施形態において、第１PDCPは、LTE（Long Term Evolution）PDCPであり、第２PDCPは、NR（New Radio）PDCPである。第３の観点では、ターミナルが提供される。ターミナルは、プロセッサとコンピュータ可読指令を格納するメモリを含み、メモリはプロセッサにより実行された場合、プロセッサに第１の観点に係る方法を実行させる。
【００２９】
第４の観点では、コンピュータ可読記憶媒体が提供される。コンピュータ可読記憶媒体はコンピュータ可読指令を格納し、コンピュータ可読指令はプロセッサにより実行された場合、プロセッサに第１の観点に係る方法を実行させる。
【００３０】
本開示の実施形態により、ユーザ機器及び基地局（例えば、NR PDCPをサポートしないレガシーeNB又はNR PDCPをサポートするeNBのいずれも）が適切にRRC接続の再確立処理を扱え得る、ユーザ機器に構成される。
【図面の簡単な説明】
【００３１】
本開示の実施形態における技術的解決をより明確に説明するために、本開示の実施形態において用いることが求められる図を以下で簡単に説明する。もちろん、以下で説明される図は、本開示のいくつかの実施形態のみである。他の図は、当業者による、創造的な働き無しの図によってさらに取得されてもよい。
【図１】図１は、RRC接続の再確立処理における概略図を図示する。
【図２】図２は、本開示のいくつかの実施形態に係るRRC接続の再確立のための方法のフローチャートを図示する。
【図３】図３は、本開示のいくつかの実施形態に係る応用例のフローチャートを図示する。
【図４】図４は、本開示のいくつかの実施形態に係るRRC接続の再確立のための装置のブロック図を図示する。
【図５】図５は、本開示のいくつかの実施形態に係るターミナルのブロック図を図示する。
【発明の詳細な説明】
【００３２】
本開示の解決を当業者がより良く理解するため、本開示の実施形態における技術的解決を、本開示の実施形態における図とともに組み合わせて、以下で明確にかつ完全に説明する。もちろん、説明される実施形態が本開示の全ての実施形態ではなく、むしろ一部の実施形態である。創造的な働き無しに本開示における実施形態に基づいて当業者により取得される他の全ての実施形態は、本開示の保護の範囲に含まれるべきである。
【００３３】
本開示の明細書、請求項、及び図における、用語“第１”、“第２”及びそれらに類する用語は、特定の順序の記述を採用しているのではなく、類似する対象を区別するために採用されている。加えて、用語“含む”並びに“有する”及びそれらのどの様な変形の用語は、非排他的な包含をカバーすることを意味している。例えば、一連の動作又はユニットを含んでいる、プロセス、方法、システム、製品、又はデバイスは、リストされている動作又はユニットに限定されず、リストされていない動作又はユニットをさらに含んでもよい。又は、プロセス、方法、製品並びにデバイスの他の本質的な動作並びにユニットをさらに含んでもよい。
【００３４】
本開示において“実施形態”に意図されることは、実施形態と組み合わせて説明される特定の特徴、構造又は特性が、本開示の少なくとも１つの実施形態において含まれてもよいことを意味する。本明細書における、それぞれの箇所でのこの熟語の出現は、常に同じ実施形態を意味しなくてもよく、同様に、他の実施形態と相互に排他的な独立又は代替の実施形態を意味しなくてもよい。当業者は、本開示において記載された実施形態が他の実施形態に組み合わされてもよいことを明示的及び暗示的に理解する。
【００３５】
本開示の実施形態の特徴及び技術的内容のより良い理解のため、本開示の実施形態における実施例を図に関連して詳細に説明する。図は単に参考のために提供され、本開示の実施形態を限定しない。
【００３６】
まず始めに、ターミナルと基地局との間の接続の構築のための方法、具体的には、RRC接続の再確立のための方法を詳細に説明する。
【００３７】
図２は、本開示のいくつかの実施形態に係るRRC接続の再確立のための方法のフローチャートを図示する。図２に図示されるように、RRC接続の再確立のための方法は、ブロックにおいて、以下の動作を含む。方法は、ブロック２０１から始めてもよい。
【００３８】
ブロック２０１において、第１基地局によりサポートされたPDCP（Packet Data Convergence Protocol）のナレッジに基づいて、RRC接続の再確立処理を開始するためのPDCPを、ターミナルが決定する。PDCPは、第１PDCP又は第２PDCPである。
【００３９】
本開示の実施形態において、ターミナルは、携帯電話、ノートブックコンピュータ、ラップトップ、デスクトップコンピュータ、又は、モバイル通信ネットワークに接続し得る他の任意のデバイスでもよい。
【００４０】
本開示の実施形態において、第１基地局は、LTEシステムにおけるeNB（eNodeB）でもよく、対応するDCネットワークはLTE-NR二重接続（EN-DC）ネットワークでもよい。又は、第１基地局は、例えば5G NRシステムにおけるgNBなどの他のモバイル通信システムにおける基地局でもよい。
【００４１】
いくつかのケースが、第１基地局にサポートされたPDCPについてのターミナルのナレッジに関してあってもよい。例えば、ターミナルは第１基地局が第１PDCPをサポートすることを知っており及び第１基地局が第２PDCPをサポートすることを知っている、ターミナルは第１基地局が第１PDCPをサポートすることを知っているが第１基地局が第２PDCPをサポートすることを知らない、ターミナルは第１基地局が第１PDCPをサポートすることを知っており及び第１基地局が第２PDCPをサポートしないことを知っている、ターミナルは第１基地局が第２PDCPをサポートすることを知っているが第１基地局が第２PDCPをサポートしないことを知らない、などである。ターミナルは、第１基地局との以前の相互動作を通じて、第１基地局によりサポートされるPDCPを知ってもよい。
【００４２】
本開示の実施形態において、基地局がDCモードをサポートする場合、基地局は第２PDCPをサポートする。例えば、DCネットワークにおける第１基地局はLTEシステムにおけるeNBであり、DCネットワークにおける第２基地局はNRシステムにおけるgNBであり、第１PDCPはLTE PDCPであり、第２PDCPはNR PDCPであり、基地局がDCモードをサポートする場合、第１基地局はNR PDCPをサポートする。したがって、方法は、ターミナルが、第１基地局はDCのネットワークモードをサポートする／サポートしないことを知っているか否かの条件に基づいて、実行されてもよい。具体的には、第１基地局によりサポートされた二重接続（DC：Dual Connectivity）のネットワークモードのナレッジに基づいて、RRC接続の再確立処理の開始するためのPDCPを、ターミナルが決定してもよい。第１基地局がDCのネットワークモードをサポートすることを条件として、第１基地局が第２PDCPをサポートする。
【００４３】
本開示の実施形態において、第１基地局が第２PDCPをサポートするか否かに関して、２つのケースがある。
【００４４】
ケース１：第１基地局は第２PDCPをサポートする。
【００４５】
ケース２：第１基地局は第２PDCPをサポートしない。
【００４６】
ここで、上記のそれぞれのケースにおいて、ターミナル側に以下の対応するケースがある。
【００４７】
ケース１において：１）ターミナルが第１基地局は第２PDCPをサポートすることを知っている；又は２）ターミナルが第１基地局は第２PDCPをサポートすることを知らない。
【００４８】
ケース２において：３）ターミナルが第１基地局は第２PDCPをサポートしないことを知っている；又は４）ターミナルが第１基地局は第２PDCPをサポートしないことを知らない。
【００４９】
上記のそれぞれのケースについて、本開示の実施形態によれば、RRC接続の再確立処理の完遂のため、適切なPDCPが選択されてもよい。詳細は、ブロック２０２を参照されたい。
【００５０】
ブロック２０２において、第１PDCP又は第２PDCPに基づいて、第１基地局へのRRC接続の再確立処理をターミナルが開始する。
【００５１】
ケース１：第１基地局は第２PDCPをサポートする
【００５２】
１）ターミナルが第１基地局は第２PDCPをサポートすることを知っている場合、第２PDCPに基づいてRRC接続の再確立要求メッセージを、ターミナルは第１基地局へ送信してもよく、第２PDCPに基づいてターミナルと第１基地局の間のRRC接続の再確立処理が開始される。この状況の下で、第２PDCPに基づいてターミナルと第１基地局はRRC接続の再確立処理を実行してもよい。
【００５３】
２）ターミナルが第１基地局は第２PDCPをサポートすることを知らない場合、第２PDCPに基づいてRRC接続の再構成要求メッセージを、ターミナルは送信してもよく、第２PDCPに基づいてターミナルと第１基地局の間のRRC接続の再確立処理が開始される。この状況下で、第２PDCPに基づいてターミナルと第１基地局はRRC接続の再確立処理を実行してもよい。
【００５４】
３）ターミナルが第１基地局は第２PDCPをサポートすることを知らない場合、第１PDCPに基づいてRRC接続の再確立要求メッセージを、ターミナルは送信してもよい。
【００５５】
ここで、第１基地局が第１PDCP及び第２PDCPのいずれもサポートする場合、第１PDCPに基づいてターミナルと第１基地局の間におけるRRC接続の再確立処理が完了した後に、ターミナル及び第１基地局が、第１PDCPから第２PDCPへ切り替え、及び、第２PDCPに基づいてセキュリティモードコマンド処理を実行する。
【００５６】
しかしながら、第１基地局が第２PDCPをサポートするが第１PDCPをサポートしない場合、ターミナルと第１基地局の間のRRC接続の再確立処理は、第２PDCPに基づいて実行されるように切り替えられる。ここで、第１基地局は、第２PDCPに基づいてRRC接続の再確立処理を実行することを決定してもよい。
【００５７】
いくつかの実施形態において、第１PDCPに基づいて、ターミナルにより送信されたRRC接続の再確立要求メッセージを、第１基地局が復号出来ない場合、第１基地局はターミナルにRRC接続失敗メッセージを送信する。第１PDCPに基づいて、ターミナルにより送信されたRRC接続の再確立要求メッセージが復号され、第１基地局が第１PDCP及び第２PDCPのいずれも用い得る場合、第１基地局はこれまで通り、RRC接続の再確立要求メッセージを正しく復号し得る。この状況下において、第１基地局はターミナルへ、RRC接続の再確立メッセージを送信してもよい。
【００５８】
ケース２：第１基地局は第２PDCPをサポートしない
【００５９】
１）ターミナルが第１基地局は第２PDCPをサポートしないことを知っている又はターミナルが第１基地局は第２PDCPをサポートしないことを知らない場合、第１PDCPに基づいてRRC接続の再確立要求メッセージを、ターミナルは第１基地局へ送信してもよく、第１PDCPに基づいてRRC接続の再確立要求メッセージを用いることにより、ターミナルは第１基地局とともにRRC接続を再開してもよい。
【００６０】
さらに、ターミナルはSCG（Secondary Cell Group）ベアラを解放することを決定してもよく、又はターミナルはSCGベアラを保持することそしてSCGベアラを第１基地局へ移動することを決定してもよい。
【００６１】
２）ターミナルが第１基地局は第２PDCPをサポートしないことを知らない場合、ターミナルは、第２PDCPに基づいてRRC接続の再確立要求メッセージを第１基地局へ送信してもよい。この状況下において、第１基地局は、第２PDCPに基づいてターミナルにより送信されたRRC接続の再確立要求メッセージを復号できず、ターミナルへRRC接続失敗メッセージを送信する。このケースにおいて、ターミナルは、第１PDCPに基づいて他のRRC接続の再確立要求メッセージを第１基地局へ送信してもよい。
【００６２】
上記のスキームで、例えばeNB（NR PDCPをサポートしないレガシーeNB又はNR PDCPをサポートするeNB）である、ターミナルと基地局は、RRC接続の再確立処理を適切に扱い得る。
【００６３】
応用例１
【００６４】
応用例１において、DCをサポートするeNBへRRC接続の再確立要求をユーザ機器が送信する場合、２つのケースがあり得る。
【００６５】
●ケース１：ユーザ機器がセルサポートDCを既に知っていてNR-PDCPでRRC接続の再確立を送信し、又は、ユーザ機器は目標セルサポートを知らずにNR-PDCPでRRC接続の再構成３１４を送信する。後のRRC接続の再確立処理でNR-PDCPは用いられ、ユーザ機器が最初に初期LTE PDCPを用い次にNR PDCPへ再構成するケースによる問題は、発生しない。
【００６６】
●ケース２：ユーザ機器がセルサポートDCを知らずに、LTE PDCPでRRC接続の再確立を送信する。このケースでは２つの処理方法があり得る。
【００６７】
◆処理２a：DC３０２をサポートするRRC接続の再確立要求を受信するeNB３２は、NR-PDCP及びLTE PDCPもまたサポートし得る。したがって、図３において図示されるような処理が提案される。eNB３２はRRC接続の再確立３０４で応答する。主たるアイディアは、再確立が完了３０６する限り、セキュリティモードコマンド処理３１０及び３１２の前に、ユーザ機器３０及びeNB３２は、SRB１のため、NR PDCPへ切り替え３０８をし得る。
【００６８】
◆処理２b：DCをサポートする再確立要求を受信するeNBは、LTE PDCPに基づいた再確立要求を理解せず、したがってユーザ機器に失敗の応答をする。その後、ユーザ機器はRRC接続の再確立するための機会を失い、SCGベアラが解放される。ここで、eNBがLTE PDCP及びNR PDCPのいずれも要求メッセージの復号に用い得る場合に留意されたい。このケースにおいて、eNBはこれまで通り、要求を正しく復号し得る。しかし、eNBが２つのPDCPバージョンを用いて復号できない場合は、その様な可能性は無い。
【００６９】
応用例２
【００７０】
応用例２において、ユーザ機器がDCをサポートしないレガシーeNBへRRC接続の再確立を送信する場合、２つのケースがあり得る。
【００７１】
●ケース３：ユーザ機器が目標eNBはDCをサポートしないことを知っている、又はユーザ機器は知らないが、時折LTE PDCPで再確立要求を送信する場合、LTE PDCPを用いて再確立要求を用い得て、目標セルにおいてRRC接続を再開し得る。またユーザ機器は、SCGベアラを解放するか又はベアラを保持しそのSCGベアラを目標側のLTE PCellに移動させるか否かを決定し得る。
【００７２】
●ケース４：ユーザ機器が目標セルはDCをサポートしないことを知らずに、NR PDCPで再確立要求を送信する場合、その後目標eNBは復号出来ず、失敗はユーザ機器に送信されるべきである。ユーザ機器は再確立に失敗し、SCGベアラもまた解放されてもよい。
【００７３】
図４は、本開示のいくつかの実施形態に係るRRC接続の再確立のための装置のブロック図を図示する。例えば、RRC接続の再確立のための装置は、ターミナルにより実現されてもよい。図４において図示されているように、RRC接続の再確立のための装置は、確定ユニット４０１とRRC接続ユニット４０２を含む。
【００７４】
確定ユニット４０１は、第１基地局によりサポートされたPDCPのナレッジに基づいて、RRC接続の再確立処理の開始のためのPDCPを確定するように構成されており、PDCPは第１PDCP又は第２PDCPである。
【００７５】
RRC接続ユニット４０２、第１PDCP又は第２PDCPに基づいて、第１基地局へのRRC接続の再確立処理を開始するように構成されている。
【００７６】
いくつかの実施形態において、確定ユニット４０１は、第１基地局によりサポートされた二重接続（DC：Dual Connectivity）のネットワークモードにおけるナレッジに基づいて、RRC接続の再確立処理の開始のためのPDCPを確定するように構成されている。第１基地局がDCのネットワークモードをサポートすることを条件として、第１基地局は第２PDCPをサポートする。
【００７７】
いくつかの実施形態において、第１基地局は第２PDCPをサポートし、RRC接続ユニット４０２は、第１基地局が第２PDCPをサポートすることを知っていて、第２PDCPに基づいてRRC接続の再確立要求メッセージを第１基地局へ送信し、第２PDCPに基づいてターミナルと第１基地局の間におけるRRC接続の再確立処理を開始するように、又は、第１基地局が第２PDCPをサポートすることを知ること無しに、第２PDCPに基づいてRRC接続の再構成要求メッセージを第１基地局へ送信し、第２PDCPに基づいてターミナルと第１基地局の間におけるRRC接続の再確立処理を開始するように構成されている。
【００７８】
いくつかの実施形態において、第１基地局が第２PDCPをサポートし、RRC接続ユニット４０２は、第１基地局が第２PDCPをサポートすることを知ること無しに、第１PDCPに基づいてRRC接続の再確立要求メッセージを送信するように構成される。
【００７９】
いくつかの実施形態において、第１基地局が第１PDCP及び第２PDCPのいずれもサポートする場合、第１PDCPに基づいてRRC接続ユニット４０２と第１基地局との間におけるRRC接続の再確立処理が完了した後に、ターミナルは、第１PDCPから第２PDCPへ第１基地局とともに切り替え、第２PDCPに基づいてセキュリティモードコマンド処理を第１基地局とともに実行する。
【００８０】
いくつかの実施形態において、第１PDCPに基づいてターミナルにより送信されたRRC接続の再確立要求メッセージを、第１基地局が復号し得ない場合、第１基地局はターミナルへRRC接続失敗メッセージを送信する。したがって、RRC接続ユニット４０２は、第１基地局からRRC接続失敗メッセージを受信する。
【００８１】
第１PDCPに基づいて、ターミナルにより送信されたRRC接続の再確立要求メッセージが復号するために、第１基地局が、第１PDCP及び第２PDCPのいずれも用い得る場合、第１基地局は、これまで通り正しく、RRC接続の再確立要求メッセージを復号し得て、そのため、ターミナルへRRC接続の再確立メッセージを送信してもよい。したがって、RRC接続ユニット４０２は、第１基地局からRRC接続の再確立メッセージを受信する。
【００８２】
いくつかの実施形態において、第１基地局が第２PDCPをサポートする場合、第１基地局はDCネットワークにおいてマスターノード（MN：Mater Node）である。
【００８３】
いくつかの実施形態において、第１基地局は第２PDCPをサポートせず、RRC接続ユニット４０２は、第１基地局が第２PDCPをサポートしないことを知っていて、又は、知ること無しに、第１PDCPに基づいてRRC接続の再確立要求メッセージを第１基地局へ送信するように、第１PDCPに基づいてRRC接続の再確立要求メッセージを用いることにより第１基地局とともにRRC接続を再開するように構成される。
【００８４】
いくつかの実施形態において、装置は決定ユニット４０３をさらに含んでもよく、SCG（Secondary Cell Group）ベアラを解放することを決定するように、又は、SCGベアラを保持することそしてSCGベアラを第１基地局へ移動することを決定するように構成される。
【００８５】
いくつかの実施形態において、第１基地局は第２PDCPをサポートせず、RRC接続ユニット４０２は、第１基地局は第２PDCPをサポートしないことを知ること無しに、第２PDCPに基づいてRRC接続の再確立要求メッセージを第１基地局へ送信するように、及び、第２PDCPに基づいて送信されるRRC接続の再確立要求メッセージの復号に失敗したために、第１基地局からRRC接続失敗メッセージを受信するように構成される。
【００８６】
当業者は、図４において図示されるようなRRC接続の再確立のための装置におけるユニットの機能は、RRC接続の再確立のための方法に関する上記の関連する記載に基づいて理解し得ること、及び、プロセッサを実行するプログラムにより並びに論理回路により実現され得ることを認識するであろう。図４において図示されるようなRRC接続の再確立のための装置におけるユニットの機能は、プロセッサにおいて実行するプログラムにより又は特定論理回路により実現されてもよい。
【００８７】
上記のRRC接続の再確立ための装置は、ソフトウェア機能ユニットの形式において実現され、独立した製品として販売又は使用される場合、機能はコンピュータ可読記憶媒体にもまた格納されてもよい。その様な理解に基づいて、実質的な本開示の技術的解決又は先行技術への貢献する部分並びに技術的解決の部分はソフトウェア製品の形式において実現されてもよく、コンピュータソフトウェア製品は、一纏まりのコンピュータ機器（パーソナルコンピュータ、サーバ、ネットワークデバイス又はそれらに類する機器でよい）を使用可能とするように、本開示のそれぞれの実施形態における全て若しくは一部の方法における動作を実行するように、構成される複数の指令を含んでいる記憶媒体に格納される。上述の記憶媒体は、Uディスク、モバイルハードディスク、読取り専用メモリ（ROM：Read-Only Memory）、ランダムアクセスメモリ（RAM：Random Access Memory）、磁気ディスク又は光学メモリの様に、プログラムコードが格納可能な様々な媒体を含む。その様にして、本開示の実施形態は、どの特定のソフトウェア及びハードウェアの組合せにも限定されない。
【００８８】
本開示のいくつかの実施形態において、コンピュータ可読記憶媒体が提供される。格納される指令は、プロセッサにより実行された場合、プロセッサにRRC接続の再確立のための上記の方法を実行させる。
【００８９】
図５は、本開示のいくつかの実施形態に係るターミナルのブロック図を図示する。図５において図示されるように、ターミナル５０は１つ又は複数の（１つのみが図示されている）プロセッサ５０２（プロセッサ５０２は、マイクロコントローラユニット（MCU：Micro Controller Unit）又はプログラマブルロジックデバイス（FPGA：Field Programmable Gate Array）などを含んでもよいが、限定されない。）、データを格納するためのメモリ５０４、及び通信機能の実現のためのトランシーバ５０６を含んでもよい。当業者は、図５において図示される構造は単なる例示であることを理解するべきであり、電子デバイスの構造を限定しない。例えば、ターミナル５０は、図５に図示されるより多数の若しくは少数の構成要素をも含んでもよく、又は、図５に図示される構成から異なる構成を持ってもよい。
【００９０】
メモリ５０４は、プログラム指令／本開示の実施形態におけるRRC接続の再確立のための方法に対応するモジュールの様な、ソフトウェアプログラム及びモジュールを格納するように構成されてもよい。プロセッサ５０２は、メモリ５０４に格納されたソフトウェアプログラム及びモジュールを実行することにより、様々な機能アプリケーション及びデータ処理を実行し、上記の方法を実現する。メモリ５０４は、高速ランダムアクセスメモリを含んでもよく、又は、１つ若しくは複数の磁気記憶デバイス、フラッシュメモリ若しくは他の不揮発性固体メモリの様な不揮発メモリを含んでもよい。いくつかの例において、メモリ５０４は、プロセッサ５０２から離れた１つ又は複数のメモリをさらに含んでもよく、メモリはネットワークを通じてターミナル５０に接続されてもよい。例えば、ネットワークは、インターネット、イントラネット、ローカルエリアネットワーク、モバイルコミュニケーションネットワーク、及びそれらの組み合わせなどを含んでもよいが、限定されない。
【００９１】
トランシーバ５０６は、ネットワークを通じてデータを受信又は送信するように構成されている。ネットワークは、例えば、ターミナル５０の通信プロバイダが提供する無線ネットワークを含んでもよい。例において、トランシーバ５０６は、基地局を通じて他のネットワークデバイスに接続され得てインターネットとの通信を実現する、ネットワークインタフェースコントローラ（NIC：Network Interface Controller）を含んでよい。例において、トランシーバ５０６は、無線にてインターネットと通信を実現し得る、無線周波数（RF：Radio Frequency）回路でもよい。
【００９２】
本開示の実施形態は競合すること無く、互いに自由に組合せてもよい。
【００９３】
実用において提供されるいくつかの実施形態においては、本開示のシステム、デバイス、及び方法は他のモードにおいて実現されてもよいことを理解するべきである。例えば、上記の実施形態は単なる例示である。例えば、ユニットの分割は論理機能の分割のみであり、実施には他の分割モードが採用されてもよく、複数のユニット若しくは構成要素は他のシステムにおいて組合せ若しくは統合されてもよく、又は、いくつかの特徴は省略若しくは実行されなくてもよい。他の観点から、表示され又は議論された相互結合若しくは直接結合又は通信結合は、いくつかのインタフェースを通じたデバイス又はユニットの非直接結合又は通信接続でもよく、電気的、機械的又は他の形式によってでもよい。
【００９４】
分離した構成要素として図示されたユニットは物理的に分離してても、してなくてもよい。表示された構成要素は物理ユニットでも、でなくてもよい。すなわち、構成要素は１つの場所に位置してもよく、複数のネットワークユニットに分散されてもよい。実施形態における解決の目的は、現実のニーズにより、ユニットの一部又は全部を選択することにより実現されてもよい。
【００９５】
加えて、本開示の様々な実施形態において、機能ユニットは１つのプロセッシングユニットに統合されてもよく、又は、機能ユニットは別個に物理的に存在してもよく、若しくは２つ以上のユニットが１つに統合されてもよい。統合されたユニットは、ハードウェアによって、又は、ハードウェア及びソフトウェアの機能ユニットにより実行されてもよい。
【００９６】
上記は本開示の具体的な実施形態のみであり、本開示の保護の範囲を限定することを意図していない。本開示によって開示された保護の範囲において、当業者にとって明らかなあらゆる変形又は置換は、本開示の保護の範囲内に含まれるべきである。
【図１】
2021504995.tif 000003
【図２】
2021504995.tif 000004
【図３】
2021504995.tif 000005
【図４】
2021504995.tif 000006
【図５】
2021504995.tif 000007
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
無線リソース制御（RRC：Radio Resource Control）接続の再確立のための方法であって、
第１基地局によりサポートされたPDCP（Packet Data Convergence Protocol）のナレッジに基づいて、RRC接続の再確立処理を開始するためのPDCPを、ターミナルにより決定することであって（２０１）、前記PDCPは、第１PDCP又は第２PDCPであり、前記第１PDCPは、LTE（Long Term Evolution）PDCPであり、前記第２PDCPは、NR（New Radio）PDCPであることと、
前記第１PDCP又は前記第２PDCPに基づいて、前記第１基地局への前記RRC接続の再確立処理を、前記ターミナルにより開始することと（２０２）、
を備える方法。
【請求項２】
前記第１基地局によりサポートされた前記PDCPのナレッジに基づいて、前記RRC接続の再確立処理を開始するための前記PDCPを決定することは（２０１）、
前記第１基地局によりサポートされた二重接続（DC：Dual Connectivity）のネットワークモードにおけるナレッジに基づいて、前記RRC接続の再確立処理の開始のための前記PDCPを決定することであって、
前記第１基地局が前記DCのネットワークモードをサポートすることを条件として、前記第１基地局が前記第２PDCPをサポートすること、
を備える、請求項１に記載の方法。
【請求項３】
前記第１基地局は前記第２PDCPをサポートし、
前記第１PDCP又は前記第２PDCPに基づいて、前記第１基地局へ前記RRC接続の再確立処理を、前記ターミナルにより開始することは（２０２）、
前記ターミナルが前記第１基地局は前記第２PDCPをサポートすることを知っている場合、前記第２PDCPに基づいてRRC接続の再確立要求メッセージが前記第１基地局へ前記ターミナルにより送信され、前記第２PDCPに基づいて前記ターミナルと前記第１基地局の間における前記RRC接続の再確立処理を開始すること、
を備える、請求項１又は２に記載の方法。
【請求項４】
前記第１基地局は前記第２PDCPをサポートし、
前記第１PDCP又は前記第２PDCPに基づいて、前記第１基地局へ前記RRC接続の再確立処理を、前記ターミナルにより開始することは（２０２）、
前記ターミナルが前記第１基地局は前記第２PDCPをサポートすることを知らない場合、前記第１PDCPに基づいてRRC接続の再確立要求メッセージが前記ターミナルにより送信される、請求項１又は２に記載の方法。
【請求項５】
前記第１基地局は前記第２PDCPをサポートせず、
前記第１PDCP又は前記第２PDCPに基づいて、前記第１基地局へ前記RRC接続の再確立処理を、前記ターミナルにより開始することは（２０２）、
前記ターミナルが前記第１基地局は前記第２PDCPをサポートしないことを知っている場合又は前記ターミナルが前記第１基地局は前記第２PDCPをサポートしないことを知らない場合、
前記第１PDCPに基づいて前記RRC接続の再確立要求メッセージを前記第１基地局へ前記ターミナルにより送信することと、
前記第１PDCPに基づいて前記RRC接続の再確立要求メッセージを用いることにより、前記第１基地局とともに前記ターミナルによりRRC接続を再開することと、
を備える、請求項１又は２に記載の方法。
【請求項６】
ターミナルであって、
第１基地局によりサポートされたPDCP（Packet Data Convergence Protocol）のナレッジに基づいて、無線リソース制御（RRC：Radio Resource Control）接続の再確立処理の開始のためのPDCPを、確定するように構成されており、前記PDCPは、第１PDCP又は第２PDCPである、確定ユニット（４０１）であって、前記第１PDCPは、LTE（Long Term Evolution）PDCPであり、前記第２PDCPは、NR（New Radio）PDCPである、確定ユニットと、
前記第１PDCP又は前記第２PDCPに基づいて、前記第１基地局への前記RRC接続の再確立処理を開始するように構成されている、RRC接続ユニット（４０２）と、
を備える、ターミナル。
【請求項７】
前記確定ユニット（４０１）は、
前記第１基地局によりサポートされた、二重接続（DC：Dual Connectivity）のネットワークモードにおけるナレッジに基づいて、前記RRC接続の再確立処理の開始のための前記PDCPを確定するように構成されており、
前記第１基地局が前記DCのネットワークモードをサポートすることを条件として、前記第１基地局は前記第２PDCPをサポートする、
請求項６に記載のターミナル。
【請求項８】
前記第１基地局は前記第２PDCPをサポートし、前記RRC接続ユニット（４０２）は、
前記第１基地局が前記第２PDCPをサポートすることを知っていて、前記第２PDCPに基づいてRRC接続の再確立要求メッセージを前記第１基地局へ送信し、前記第２PDCPに基づいて前記ターミナルと前記第１基地局の間における前記RRC接続の再確立処理を開始するように構成される、
請求項６又は７に記載のターミナル。
【請求項９】
前記第１基地局は前記第２PDCPをサポートし、前記RRC接続ユニット（４０２）は、
前記第１基地局が前記第２PDCPをサポートすることを知ること無しに、前記第１PDCPに基づいてRRC接続の再確立要求メッセージを送信するように構成される、
請求項６又は７に記載のターミナル。
【請求項１０】
前記第１基地局が前記第１PDCP及び前記第２PDCPのいずれもサポートする場合には、前記第１PDCPに基づいて前記RRC接続ユニット（４０２）と前記第１基地局の間における前記RRC接続の再確立処理が完了した後に、前記ターミナルは、前記第１PDCPから前記第２PDCPへ、前記第１基地局とともに切り替え、前記第２PDCPに基づいて、セキュリティモードコマンド処理を前記第１基地局とともに実行する、
請求項９に記載のターミナル。
【請求項１１】
前記RRC接続ユニット（４０２）は、
前記第１PDCPに基づいて、送信された前記RRC接続の再確立要求メッセージの復号に失敗したことにより、前記第１基地局からRRC接続失敗メッセージを受信するように、又は、
前記第１PDCPに基づいて、送信された前記RRC接続の再確立要求メッセージを復号するために、前記第１PDCP及び前記第２PDCPのいずれも用い得る前記第１基地局から、RRC接続の再確立メッセージを、受信するようにさらに構成される、
請求項９に記載のターミナル。
【請求項１２】
前記第２PDCPをサポートする前記第１基地局は、二重接続（DC：Dual Connectivity）ネットワークにおいて、マスターノードである、
請求項８乃至１１のいずれかに記載のターミナル。
【請求項１３】
前記第１基地局は前記第２PDCPをサポートせず、
前記RRC接続ユニット（４０２）は、前記第１基地局が前記第２PDCPをサポートしないことを知っていて、又は、知ること無しに、
前記第１PDCPに基づいて前記RRC接続の再確立要求メッセージを前記第１基地局へ送信するように、及び、
前記第１PDCPに基づいて前記RRC接続の再確立要求メッセージを用いることにより、前記第１基地局とともに、RRC接続を再開するように構成される、
請求項６又は７に記載のターミナル。
【請求項１４】
SCG（Secondary Cell Group）ベアラを解放することを決定するように、又は、
前記SCGベアラを保持することそして前記SCGベアラを前記第１基地局へ移動することを決定するように構成される、決定ユニット（４０３）をさらに備える、
請求項１３に記載のターミナル。
【請求項１５】
前記第１基地局は前記第２PDCPをサポートせず、
前記RRC接続ユニット（４０２）は、前記第１基地局が前記第２PDCPをサポートしないことを知ること無しに、
前記第２PDCPに基づいて前記RRC接続の再確立要求メッセージを前記第１基地局へ送信するように、及び、
前記第２PDCPに基づいて送信された前記RRC接続の再確立要求メッセージの復号に失敗したために、前記第１基地局からRRC接続失敗メッセージを受信するように構成される、
請求項６又は７に記載のターミナル。
【国際調査報告】
2021504995.tif 000008
2021504995.tif 000009